(57)【要約】      （修正有）【課題】使い古した哺乳瓶を、密閉容器或いは調理容器等に求められる機能を確保した、哺乳瓶リサイクル用蓋体を提供する。【解決手段】哺乳瓶のリサイクルに使われる蓋体１１であって、一定の厚みを有する大径の平板２上面にフランジ状の小径段差部１３を設け、底面には突起部を設け、これを弾力性を有する樹脂で形成する構成とした。また、前記突起部に開口部を設ける構成、前記小径段差部上面から前記大径の平板底面に少なくとも１以上の貫通穴を設ける構成とすることもできる。係る技術により完全密封保存容器としてのみならず、果実酒や薬用酒の熟成容器としたり、新たな料理用容器等の物品に生まれ変えることを可能とした。【選択図】図１
0003155437.tif 000002
【実用新案登録請求の範囲】
【請求項１】
哺乳瓶のリサイクルに使われる蓋体であって、一定の厚みを有する大径の平板上面にフランジ状の小径段差部を設け、底面には突起部を設け、これを弾力性を有する樹脂で形成したことを特徴とする蓋体。
【請求項２】
前記突起部に開口部を設けたことを特徴とする請求項１に記載の蓋体。
【請求項３】
前記小径段差部上面から前記大径の平板底面に、少なくとも１以上の貫通穴を設けたことを特徴とする請求項１から請求項２に記載の蓋体。
【考案の詳細な説明】
【技術分野】
【０００１】
本考案は、使用後の哺乳瓶を多目的に再利用することを可能とする蓋体に関する。
【背景技術】
【０００２】
従来、使用済みの哺乳瓶は、他人に使用されていたという主観的な観点や衛生面などから殆どリサイクル活用されることがなく、ガラス製の哺乳瓶は危険物として、プラスチック製の哺乳瓶は燃えないゴミとして廃棄されていた。また、耐熱性や耐衝撃性の高い特殊な素材を用いているため、溶解等による素材リサイクルもしにくいという問題がある。
【０００３】
一方、母親と生まれた子を結ぶ最初の思い出となる品物なるがゆえ、母親としては簡単に廃棄することは偲び難く思うものであり、また、このような高品質の物を短期間の使用で処分するのはもったいないと感じる人も多い。
【０００４】
近頃では、家庭での料理用計量カップ等として地球環境に配慮した再利用も個人的にはなされている。しかしながら、既存の哺乳瓶の部品構成では再利用に際して密封性を確保できないという問題点がある。そこで、その素材の持つ優位な特性を有効に利用して、例えば自家製ドレッシングを親子で作り、密閉容器或いは調理容器等に求められる機能を確保しながら、思い出深い新たな料理用容器等の物品に生まれ変えることを可能とする技術が望まれところである。
【０００５】
一方、現在普及している哺乳瓶の多くは、室内で粉ミルクを適温で溶いて授乳させることを目的とした専用品であり、外出用の密封性を持った構造とするものが少なく、乳児から乳幼児、幼児と成長していく段階で、授乳ミルクから水分補給、果汁摂取と飲み物も子供の成長過程と共に変化していくため、その成長過程に伴った飲料機能を持つ哺乳瓶の提供も望まれるところである。
【０００６】
また、子供の成長を刻む思い出の品物を長期に亘って保存できる容器として、例えばへその緒、写真、出産証明書、お宮参りの札など、出産時の記念品入れの新たな使い道も望まれるところであるが、長期保管用容器としては密閉性・気密性がないという問題点がある。
【０００７】
このようなリサイクルの問題点を解決課題として提案する先行技術については発見できなかった。なお、１回使用のプラスチック材哺乳瓶の技術において、乳首部のフランジを閉鎖するための閉鎖部が記載されている技術文献があるが（特許文献１及び特許文献２参照）、これは乳首部からの漏れを塞ぐものであり、乳首部の弾性によって密閉性を得ている点において異なるものである。また、係る閉鎖部では、小径段差部の直径がキャップ内開口径から乳首部の厚さを差し引いた径となるため、乳首部を取り外して使用するとキャップの取り外しの際に閉鎖部は脱落してしまう。また、乳首部の弾性素材がなくなると高い密封性が得られなくなる。すなわち、係る閉鎖部ではリサイクルのための密閉蓋として使用するには問題が残されているといえる。さらに、哺乳瓶の防塵キャップの考案も提案されている（特許文献３参照）。しかし、係る技術は製造時点でキャップと蓋体をセットで成型すること、及び素材に軟質ゴムを用いることで密封性を確保するものであり、密封以外の機能を発揮できるものではない。従って、密封機能等の従来効果を維持しつつ、哺乳瓶以外の多目的用途にもリサイクルすることが可能な蓋体の技術が望まれるところである。
【０００８】
【特許文献１】特開２００２−５０３５１９号公報
【特許文献２】特開２００８−２１２６９４号公報
【特許文献３】実開平３−６０９５２号公報
【考案の概要】
【考案が解決しようとする課題】
【０００９】
本考案は、上記問題点に鑑み、使い古した哺乳瓶を多目的に再利用する蓋体の提供を図るものである。
【課題を解決するための手段】
【００１０】
請求項１に係る考案は、哺乳瓶のリサイクルに使われる蓋体であって、一定の厚みを有する大径の平板上面にフランジ状の小径段差部を設け、底面には突起部を設け、これを弾力性を有する樹脂で形成する構成とした。
【００１１】
請求項２に係る考案は、前記突起部に開口部を設ける構成とした。
【００１２】
請求項３に係る考案は、前記小径段差部上面から前記大径の平板底面に、少なくとも１以上の貫通穴を設ける構成とした。
【考案の効果】
【００１３】
本考案によれば、一定の厚みを有する大径の平板上面にフランジ状の小径段差部を設けた蓋体を用いることによって、完全密封保存容器として外出用の飲料容器として利用したり、幼児期の思い出のタイムカプセルとして地中に埋めたりして利用することができる。また、家庭用の粉洗剤を入れることにより自家用車のタイヤやマット用の洗剤入れ容器として使用することができる。また、手作りの糊や手作りバターなどのシャッフル作業を伴う生成作業等にも利用することができる。
【００１４】
また、本考案によれば、蓋体の素材に弾力性を有する樹脂を用いているので、リサイクル瓶としての密閉性を高めることができ、硬質プラスチックと比較して高い防酸化性や防腐食性を有するといった優れた効果を発揮する。また、パッキンを不要とすることができるので、部品数を減らせることによるコスト軽減や、掃除し易くなることからの衛生面においても有利な効果を奏する。
【００１５】
さらに、本考案によれば、蓋体の底面に突起部が設けられているので、該蓋体を取り出しやすくなり、容器の隅々まできれいに清掃できるという効果や、該突起を用いて充填物の撹拌や充填物の塗布も可能となる。
【００１６】
またさらに、本考案によれば、前記突起部に開口部を設けることにより、果実酒や薬用酒の熟成容器として、或いは薬草や麦茶などのパック状の漉し網を紐体等に吊るして水出しすることもできる優れた効果が得られる。
【００１７】
さらにまた、本考案によれば、前記小径段差部上面から前記大径の平板底面に、少なくとも１以上の貫通穴を設けることによって、園芸用の顆粒状肥料等の収納容器として、或いはペット用の熱帯魚や金魚の餌容器として使用することができる。また、穴の形状をコイン状にすることによって貯金箱として利用することもでき、さらには突出した形状の先端から貫通穴とすることで、醤油差し、園芸用の水差し器等の調合用計量カップとして利用することもできる。さらには、一般的な保護キャップは透明または半透明であるので、これに目盛シールを貼着すれば、より高精度な取出分量測定も可能となり、同時に保護キャップの再利用の途も図られる。
【考案を実施するための形態】
【００１８】
本考案は、哺乳瓶のリサイクルに使われるものであって、一定の厚みを有する大径の平板上面にフランジ状の小径段差部を設け、底面には突起部を設け、これを弾力性を有する樹脂で形成する構成としたことを最大の特徴とする。以下、考案を実施するための形態を図面をもとに説明する。
【００１９】
図１は、本考案における蓋体の使用状態を説明する全体斜視図である。図１（ａ）は従来の哺乳瓶Ｈの構成を示す。保護キャップＫ、乳首Ｔ、締付キャップＣ、乳瓶Ｂで構成されるもので、本考案における密封機能やリサイクル機能を備えていない構造である。
【００２０】
図１（ｂ）は本考案の蓋体１１を用いた場合の哺乳瓶１０の構成を示す。保護キャップＫ、蓋体１１又は蓋体２１、締付キャップＣ、乳瓶Ｂで構成されるもので、蓋体１１又は蓋体２１を付け加えることによって、本考案におけるリサイクル機能を備える構造とすることができる。
【００２１】
蓋体１１は、一定の厚みを有する大径の平板１２の上面に、フランジ状の小径段差部１３を有して形成され、大径の平板１２は、締付キャップＣと乳瓶Ｂの間で挟持されて保持される。小径段差部１３は後述のように締付キャップＣの乳首Ｔ装着用穴に嵌合する大きさに形成される。材質については、締付キャップＣの締め付け圧によって密封される適度の柔軟性を有する樹脂によって形成される。より具体的にはウレタン系樹脂やシリコン系樹脂のような弾力性の高い樹脂素材を用いて形成する。
【００２２】
図２は、本考案における蓋体１１の実施形態を示す説明図である。図２（ａ）は蓋体１１の斜視図、図２（ｂ）は蓋体１１の断面図、図２（ｃ）はその使用状態図を示す。一定の厚みを有する大径のフランジ１２の上部に小径の段差部１３を有する蓋体１１を利用した実施例を示すもので、完全密封することを目的として形状及び寸法を特定する。具体的には、大径のフランジ１２の直径は、既存の締付キャップＣの開口径以上で締付キャップＣに収容できる範囲の外径とし、小径の段差部１３の直径は、既存の締付キャップＣが有する開口径以下とする。なお、小径の段差部１３を締付キャップＣの開口径に嵌め合う寸法にすれば、締付キャップＣを取り外した際に蓋体１１の脱落防止に有効である。さらに、図に示すように、小径の段差部１３の外周周壁に複数の微小突起２７を形成したり、図示はしていないが、鋸歯状のセレーションを形成して嵌着性を高めることも有効である。
【００２３】
本考案は、蓋体１１の底面に突起１４を設けることにより、該蓋体１１を締付キャップＣから容易に取り出せるようにしたもので、特に洗浄時において容器の隅々まできれいに清掃でき、また、突起１４の形状によっては充填物の撹拌や充填物の塗布も可能となる。具体的には、例えば、図に示すような半月板状の突起１４とすれば、該蓋体１１が締付キャップＣの開口部にしっかりと嵌合されていても、掴み易くなるので取り外しが容易となる。また、乳瓶Ｂ底部近くまでの棒状体又は板状体の突起１４にすることで充填物の撹拌や充填物の塗布も可能となる。なお、ティーパック等の紐体を係止できるように溝部２５を形成することが望ましい。
【００２４】
図３は、前記突起１４の具体的な実施例を示す断面説明図である。図３（ａ）は攪拌用の棒状体を示し、図３（ｂ）はペースト状充填物の塗布用のヘラ状を示し、図３（ｃ）は充填物を掬うためのスプーン形状を示している。ただし、これらはあくまで例示であって図に示した形状に限定されるものでなく、用途に応じた形状に形成される。
【００２５】
図４は本考案における蓋体１１の別の実施形態を示す説明図である。図４（ａ）は蓋体１１の斜視図、図４（ｂ）は蓋体１１の断面図、図４（ｃ）はその使用状態図を示す。突起１４に開口部１５を設けることにより、開口部１５に紐体１６やフックなどを通して水出しパックＭ等を吊るすことができる様にしたもので、果実酒や薬用酒の熟成容器として、又は薬草や麦茶の水出しパック容器として使用することができる構造を有する。
【００２６】
図５は本考案における蓋体２１の実施形態を示す説明図である。図５（ａ）は蓋体２１の斜視図、図５（ｂ）は蓋体２１の断面図、図５（ｃ）はその使用状態図を示す。蓋体２１は、一定の厚みを有する大径のフランジ１２の上部に小径の段差部１３を有する蓋体１１の小径の段差部１３に複数の貫通穴２２を設けたものである。複数の貫通穴２２を設けたことにより、園芸用の顆粒状の肥料用容器等として使用することができる。また、金魚や熱帯魚の顆粒状の餌容器として使用することができる。また、浴槽洗剤用の重曹や過炭酸ソーダの残量保存容器としても利用することができるなどの構造を有する。更に、図に示すような単位容量や大さじ小さじ等の目盛シール２６を貼着すれば、より高精度な取出分量測定も可能となり、同時に保護キャップの再利用の途も図られる。
【００２７】
図６は本考案における蓋体２１の別の実施形態を示す説明図である。図６（ａ）は蓋体２１の斜視図、図６（ｂ）は蓋体２１の断面図、図６（ｃ）はその使用状態図を示す。該蓋体２１は前記蓋体１１の小径の段差部１３にコイン状の貫通穴２３を設けたものである。コイン状の貫通穴２３を設けことにより、子供用等の貯金箱とすることができる構造を有する。
【００２８】
図７は、本考案における蓋体２１の別の実施形態を示す説明図である。図７（ａ）は、蓋体２１の斜視図、図７（ｂ）は、蓋体２１の断面図、図７（ｃ）は、その使用状態図を示す。該蓋体２１は前記蓋体１１の小径の段差部１３に突起状の貫通穴２４を設けたものである。該突起状の貫通穴２４を設けることにより、園芸用の液体肥料等の希釈計量カップならびに保存容器として使用することができる。また、大型観葉植物などの長期不在時の水差し容器として使うことができるなどの構造を有する。
【図面の簡単な説明】
【００２９】
【図１】本考案における蓋体の使用状態説明図である。
【図２】本考案における蓋体の実施形態を示す説明図である。
【図３】本考案における突起の具体的な実施例を示す断面説明図である。
【図４】本考案における蓋体の別の実施形態を示す説明図である。
【図５】本考案における蓋体の別の実施形態を示す説明図である。
【図６】本考案における蓋体の別の実施形態を示す説明図である。
【図７】本考案における蓋体の別の実施形態を示す説明図である。
【符号の説明】
【００３０】
１０    哺乳瓶
１１    蓋体
１２    大径の平板
１３    小径段差部
１４    突起部
１５    開口部
１６    紐体
２１    蓋体
２２    貫通穴
２３    コイン状の貫通穴
２４    突起状の貫通穴
２５    溝部
２６    目盛シール
２７    微小突起
Ｈ      従来の哺乳瓶
Ｋ      保護キャップ
Ｍ      水出しパック
Ｔ      乳首
Ｃ      締付キャップ
Ｂ      乳瓶
【図１】
0003155437.tif 000003
【図２】
0003155437.tif 000004
【図３】
0003155437.tif 000005
【図４】
0003155437.tif 000006
【図５】
0003155437.tif 000007
【図６】
0003155437.tif 000008
【図７】
0003155437.tif 000009
【手続補正書】
【提出日】平成21年9月9日(2009.9.9)
【手続補正１】
【補正対象書類名】実用新案登録請求の範囲
【補正対象項目名】請求項３
【補正方法】変更
【補正の内容】
【請求項３】
前記小径段差部上面から前記大径の平板底面に、少なくとも１以上の貫通穴を設けたことを特徴とする請求項１または請求項２に記載の蓋体。